(57)【要約】      （修正有）【課題】使用者に直接当たるような空気流の発生を抑制し、使用者に与える不快感を低減することができる手乾燥装置を提供する。【解決手段】使用者の手に空気を吹き付けて乾燥させる手乾燥装置において、使用者の手が挿入される空間である手乾燥室が内部に形成されたハウジングと、手乾燥室内に空気を吹き出すノズル９と、を備え、ノズル９は、上面板４ａの近傍に配置され、空気を下方且つ背面板４ｂに向かう方向に吹き出すように形成されており、下面板４ｃに沿って前方側に流れる空気は、吹き返し防止壁５０に当たることによりその流れ方向が変化し、少なくともその一部が上面板４ａに当たる。【選択図】図３
2014064806.tif 000002
【特許請求の範囲】
【請求項１】
使用者の手に空気を吹き付けて乾燥させる手乾燥装置において、
使用者の手が挿入される空間である手乾燥室が内部に形成されたハウジングと、
前記手乾燥室内に空気を吹き出すノズルと、を備え、
前記手乾燥室は、前記ハウジングの上部壁面、後部壁面、及び下部壁面により区画され、前記ハウジングの前面に形成された開口部から使用者の手が挿入されるものであって、
前記ノズルは、前記上部壁面の近傍に配置され、空気を下方且つ前記後部壁面に向かう方向に吹き出すように形成されており、
前記ハウジングは、前記下部壁面の前方側端部から立ち上がるように形成された吹き返し防止壁を有しており、
前記下部壁面に沿って前方側に流れる空気は、前記吹き返し防止壁に当たることによりその流れ方向が変化し、少なくともその一部が前記上部壁面に当たることを特徴とする手乾燥装置。
【請求項２】
前記下部壁面は、その前後方向に沿った長さにおいて、前記上部壁面よりも短く形成されていることを特徴する、請求項１に記載の手乾燥装置。
【請求項３】
前記下部壁面は、前方側が高くなるように水平面に対して傾斜していることを特徴とする、請求項２に記載の手乾燥装置。
【請求項４】
前記ハウジングの両側面には、前記吹き返し防止壁と同じ高さの位置において、前記吹き返し防止壁に当たった空気の一部を排出するための排気口が形成されていることを特徴とする、請求項１に記載の手乾燥装置。
【請求項５】
前記ハウジングの内面は、前記吹き返し防止壁から前記排気口までの部分が、上面視で円弧状となるように形成されていることを特徴とする、請求項４に記載の手乾燥装置。
【請求項６】
前記吹き返し防止壁には、前記下部壁面に沿って前方側に流れた空気の一部を左右に分散させ、それぞれの前記排気口に誘導するためのガイド部が形成されていることを特徴とする、請求項４又は請求項５に記載の手乾燥装置。
【請求項７】
前記後部壁面には前方側に向けて突出する風受部が形成されており、前記風受部は、前記ノズルから吹き出された空気が直接当たるような位置に形成されていることを特徴とする、請求項１に記載の手乾燥装置。
【発明の詳細な説明】
【技術分野】
【０００１】
本発明は、濡れた手に付着している水を気体で吹き飛ばして乾燥させる手乾燥装置に関する。
【背景技術】
【０００２】
従来、洗浄後の濡れた手を衛生的に乾燥させる装置として、高速空気流により手に付着した水滴を吹き飛ばして乾燥させる手乾燥装置が知られている。この手乾燥装置は、トイレや洗面所の壁面に取り付けられるものであり、前方側（壁面の法線方向側）に向けて開口した手乾燥室を備えている。この手乾燥室内へ濡れた手が差し込まれると、手に向けて空気が吹き出し、手乾燥室内に空気流が形成される。この空気流によって手に付着した水が吹き飛ばされるため、手を衛生的に乾燥させることができる。（例えば、特許文献１参照）。
【０００３】
下記特許文献１に記載の手乾燥装置では、手乾燥室は側面視で略コの字型を成すような三つの壁面、すなわち、上方側壁面、後方側壁面、下方側壁面により区画されている。手乾燥室内へ空気を吹き出すためのノズルは上側壁面に設けられている。ノズルから吹き出される空気の方向は、手乾燥室内の上方から下方へ向かい、且つ、前方側から後方側へ向かう方向となっている。ノズルの吹き出し方向をこのようにすることで、空気は手の表面に沿いながら指先に向かって流れる。このため、手に付着した水を効率よく吹き飛ばすことができる。
【先行技術文献】
【特許文献】
【０００４】
【特許文献１】特開平１１−１６９３１７号公報
【発明の概要】
【発明が解決しようとする課題】
【０００５】
上記特許文献１に記載の手乾燥装置では、ノズルから吹き出された空気は使用者の手に沿って流れた後、その一部が後方側壁面に沿って下方に流れることとなる。更にその後、当該空気は手乾燥室の下方側壁面に沿って前方に向かって流れ、手乾燥室の外に（使用者側に）吹き出してしまう。このような空気の流れは所謂「吹き返し」と称されるものであって、手乾燥装置の前方側に立つ使用者に直接当たってしまい、使用者に不快感を与えてしまう場合があった。このように、上記特許文献１に記載の手乾燥装置においては、吹き返しの発生によって使用者に不快感を与えてしまうという問題があった。
【０００６】
本発明はこのような課題に鑑みてなされたものであり、その目的は、使用者に直接当たるような空気流の発生を抑制し、使用者に与える不快感を低減することができる手乾燥装置を提供することにある。
【課題を解決するための手段】
【０００７】
上記課題を解決するために本発明に係る手乾燥装置は、使用者の手に空気を吹き付けて乾燥させる手乾燥装置において、使用者の手が挿入される空間である手乾燥室が内部に形成されたハウジングと、記手乾燥室内に空気を吹き出すノズルと、を備え、前記手乾燥室は、前記ハウジングの上部壁面、後部壁面、及び下部壁面により区画され、前記ハウジングの前面に形成された開口部から使用者の手が挿入されるものであって、前記ノズルは、前記上部壁面の近傍に配置され、空気を下方且つ前記後部壁面に向かう方向に吹き出すように形成されており、前記ハウジングは、前記下部壁面の前方側端部から立ち上がるように形成された吹き返し防止壁を有しており、前記下部壁面に沿って前方側に流れる空気は、前記吹き返し防止壁に当たることによりその流れ方向が変化し、少なくともその一部が前記上部壁面に当たることを特徴とする。
【０００８】
本発明に係る手乾燥装置では、使用者の手が挿入される手乾燥室が、ハウジングの上部壁面、後部壁面、及び下部壁面により区画されている。すなわち、側面視において略コの字形状の壁面によって区画されている。
手乾燥室内に空気を吹き出すノズルは、上部壁面の近傍に配置されており、空気を下方且つ後部壁面に向かう方向に吹き出すように形成されている。空気の吹き出し方向をこのようなものとすることで、空気は使用者の手の表面に沿いながら指先に向かって流れるため、手に付着した水を効率よく吹き飛ばすことが可能となっている。
ところで、使用者の手に沿って流れた後の空気は、その一部が後方側壁面に沿って下方に流れ、更に手乾燥室の下方側壁面に沿って前方に向かって流れてしまう。すなわち、手乾燥装置の前方に立つ使用者側に向かって流れてしまう。
本発明では、下部壁面の前方側端部から立ち上がるように形成された吹き返し防止壁を有している。このため、手乾燥室の下方側壁面に沿って前方（使用者側）に向かって流れる空気は、手乾燥装置の外部に吹き出す前に、まず吹き返し防止壁に当たってその流れ方向が変化する。吹き返し防止壁は、流れ方向が変化した空気のうち少なくともその一部が上部壁面に当たるように形成されている。
このように、手乾燥室の下方側壁面に沿って前方（使用者側）に向かって流れる空気は、まず吹き返し防止壁に当たり、更に上部壁面に当たることによって十分に勢いが弱められた状態で、手乾燥室の前方側に排出されることとなる。その結果、使用者に向かって流れる「吹き返し」は十分に抑制され、使用者に与える不快感を低減することができる。
【０００９】
また本発明に係る手乾燥装置は、前記下部壁面は、その前後方向に沿った長さにおいて、前記上部壁面よりも短く形成されていることも好ましい。
【００１０】
この好ましい態様では、手乾燥室の下部壁面の前後方向の長さが手乾燥室の上部壁面の前後方向の長さよりも短い。このような構成とすることにより、下部壁面に沿って流れる空気を上部壁面に向かわせるために必要な角度の変化量が小さくなる。その結果、吹き返し防止壁に当たった空気を手乾燥室の上部壁面に当てやすくすることができる。
【００１１】
また本発明に係る手乾燥装置は、前記下部壁面は、前方側が高くなるように水平面に対して傾斜していることも好ましい。
【００１２】
この好ましい態様では、手乾燥室の下部壁面の前方側が高くなるように傾斜されている。このような構成とすることにより、下部壁面に沿って前方方向に流れる空気の方向も傾斜させることができるため、上部壁面に向かわせるために必要な角度の変化量が更に小さくなる。その結果、吹き返し防止壁に当たった空気を手乾燥室の上部壁面に当てやすくすることができる。
【００１３】
また本発明に係る手乾燥装置は、前記ハウジングの両側面には、前記吹き返し防止壁と同じ高さの位置において、前記吹き返し防止壁に当たった空気の一部を排出するための排気口が形成されていることも好ましい。
【００１４】
この好ましい態様では、ハウジングの両側に吹き返し防止壁に当たった空気の一部を排出するための排気口を形成している。このような構成とすることにより、吹き返し防止壁に当たった空気の一部が手乾燥室の両側に向けて排出されるため、上部壁面に向かう空気の量が少なくなる。その結果、使用者に向かう吹き返し風を更に少なくすることができる。
【００１５】
また本発明に係る手乾燥装置は、前記ハウジングの内面は、前記吹き返し防止壁から前記排気口までの部分が、上面視で円弧状となるように形成されていることも好ましい。
【００１６】
この好ましい態様では、吹き返し防止壁が下部壁面の前端部に沿って円弧状に形成されている。このため、下部壁面に沿って前方方向に流れる空気の一部が、円弧状に形成された壁面に沿ってスムーズに排気口に向かうこととなる。その結果、使用者側に向かって流れる空気の量を更に低減することができる。
【００１７】
また本発明に係る手乾燥装置は、前記吹き返し防止壁には、前記下部壁面に沿って前方側に流れた空気の一部を左右に分散させ、それぞれの前記排気口に誘導するためのガイド部が形成されていることも好ましい。
【００１８】
この好ましい態様では、吹き返し防止壁に、下部壁面に沿って流れる空気を左右に分散させるためのガイド部が形成されている。このような構成とすることにより、吹き返し防止壁に当たった空気を、その流れが乱れることなく左右に分けやすくすることができ、手乾燥装置の両側に設けられた排気口に向かいやすくすることができる。その結果、使用者側に向かって流れる空気の量を更に低減することができる。
【００１９】
また本発明に係る手乾燥装置は、前記後部壁面には前方側に向けて突出する風受部が形成されており、前記風受部は、前記ノズルから吹き出された空気が直接当たるような位置に形成されていることも好ましい。
【００２０】
この好ましい形態では、後部壁面には前方側に向けて突出する風受部が形成されている。この風受部は、ノズルから吹き出された空気が直接当たるような位置に形成されているので、ノズルから下部壁面に直接到達する空気の量を少なくすることができる。その結果、下部壁面に沿って前方側に流れる空気流の勢いを弱めることができ、吹き返しの発生を更に抑制することができる。
【発明の効果】
【００２１】
本発明によれば、使用者に直接当たるような空気流の発生を抑制し、使用者に与える不快感を低減することができる手乾燥装置を提供することができる。
【図面の簡単な説明】
【００２２】
【図１】本発明の第一実施例に係る手乾燥装置を示す正面図である。
【図２】図１に示す手乾燥装置の側面図である。
【図３】図１に示す手乾燥装置における風の流れを示す側断面図である。
【図４】本発明の第二実施例に係る手乾燥装置を示す側断面図である。
【図５】本発明の第三実施例に係る手乾燥装置を示す側断面図である。
【図６】図５に示す手乾燥装置における吹き返し防止壁及び下面板を、上面視で示す図である。
【図７】本発明の第四実施例に係る手乾燥装置における吹き返し防止壁及び下面板を、上面視で示す図である。
【図８】本発明の第五実施例に係る手乾燥装置を示す側断面図である。
【発明を実施するための形態】
【００２３】
図１は本発明の第一実施例に係る手乾燥装置を示す正面図であり、図２は、その側面図である。図３は、図１に示す手乾燥装置における風の流れを示す側断面図である。
【００２４】
以下の説明においては、鉛直上方に向かう方向をｙ軸の正方向とし、手乾燥装置の前方側に向かう方向（壁面の法線方向）をｚ軸の正方向とする。また、手乾燥装置の左方向（ｚ軸の正方向に向かって左側の方向）をｘ軸の正方向とする。
【００２５】
この手乾燥装置は上部の高圧空気発生部１と下部の水受け部２とを有し、高圧空気発生部１と水受け部２との間には手乾燥室３が形成されている。手乾燥装置は、その後方側に
取付板４１を有しており、取付板４１の背面４０において洗面所等の壁面に取り付けられている。
【００２６】
高圧空気発生部１は、箱型容器構造のケーシング３０内に、モーター１６とこれにより回転されるターボファンとからなるブロアー２０が組み込まれて構成されている。ブロアー２０は、吸込側を背面側にし、排気側を前方側にした状態で、ケーシング３０内に配置されたブロアーケース２１の内部に収められている。
【００２７】
ブロアーケース２１の前側下部には吹出口が開設されている。当該吹出口には、ブロアー２０により生成された高圧空気を手乾燥室３に噴出するためのノズル９が装着されている。ノズル９は、使用者の手に向けて高圧空気を吹き出すためのものであって、その噴射口を下方に向けた状態で上面板４ａに配置されている。ブロアーケース２１の吹出口とノズル９との間には、ここを通過する高圧空気を昇温するヒーター１８が形成されている。
【００２８】
高圧空気発生部１の内部には、センサー１０と、センサー１０及びモーター１６の駆動を制御する制御部とを有している。センサー１０が手乾燥室３に差し込まれた使用者の手を検出すると、センサー１０の検出結果を受けた制御部がモーター１６を駆動する。センサー１０が使用者の手を検知しなくなると、センサー１０の非検出結果を受けた制御部がモーター１６を停止する。制御部は、モーター１６と同期してヒーター１８を駆動・停止する。このような構成により、使用者が手乾燥室３に濡れた手を挿入すると、ノズル９から自動的に空気が吹き出され、手に付着している水滴を吹き飛ばしながら手の乾燥が行われる。また、使用者が手乾燥室３から手を引きだすと、ノズル９からの空気の吹き出しは自動的に停止される。
【００２９】
水受け部２は、ノズル９により吹き飛ばされた水滴を受け取るための下面板４ｃと、下面板４ｃの下部に設けられ、水滴を貯留する水受けトレイ（図示せず）を有している。下面板４ｃには、水受けトレイに水滴を落下させるための排水口と、後述する吹き返し防止壁５０が形成されている。水受けトレイは着脱可能となっているため、水受けトレイを取り外すことによって水受けトレイ内の水を容易に捨てることができる。
【００３０】
手乾燥室３は、高圧空気発生部１の下面に形成された上面板４ａと、水受け部２の上面に形成された下面板４ｃと、上面板４ａと下面板４ｃとを連結する背面板４ｂにより画成されている。言い換えれば、手乾燥装置のケーシング３０（ハウジング）は側面視で略コの字型に形成されており、手を挿入できるように前方方向に開口した手乾燥室３を有している。この手乾燥室３内部に高圧空気発生部１から高圧空気が吹き出されるようになっている。
【００３１】
上面板４ａには、前述のように、使用者の手に向けて高圧空気を吹き出すためのノズル９が設けられている。ノズル９は、上面板４ａのうち前方側の部分に配設されている。ノズル９の吹き出し方向は、下方且つ背面板４ｂに向かう方向に吹き出すように形成されている。手乾燥室３内に挿入された使用者の手は、その先端（指先）が斜め下方に向かった状態となっている。このため、ノズルから吹き出された空気は使用者の手に沿って流れることとなり、使用者の手に付着した水滴を効率的に吹き飛ばすことができる。ノズル９から使用者の手に沿う方向に吹き出されて手の表面を通過した空気は、少なくともその一部が背面板４ｂに当たる。
【００３２】
図３に示すように、下面板４ｃの前方側端部には、下面板４ｃから立ち上がるように形成された吹き返し防止壁５０が設けられている。吹き返し防止壁５０は、下面板４ｃに沿って前方（使用者側）に向かって流れる空気をそのまま手乾燥装置の前方方向に通過させないような機能を有している。具体的には、吹き返し防止壁５０は、下面板４ｃに沿って前方方向に流れてくる空気の流れの方向を変化させ、少なくともその一部を上面板４ａに当てるように形成されている。なお、吹き返し防止壁５０は、下面板４ｃに沿って前方方向に流れてくる空気の流れの方向を変更させる機能を有すれば良く、大きさや形状は様々なものを選択することができる。
【００３３】
手乾燥装置を動作させたときの風の流れについて、図３を参照しながら説明する。使用者の手（図示せず）が手乾燥室３内に差し入れられると、ノズル９から高圧空気が吹き出される。高圧空気の吹き出す方向は、前述のように下方且つ背面板４ｂに向かう方向であり、空気は背面板４ｂに当たった後、背面板４ｂに沿って下方へ流れて下面板４ｃに到達する。下面板４ｃに到達すると空気はその流れ方向を変え、下面板４ｃに沿って手乾燥室３の前方側に流れる。その後、下面板４ｃの前端部に立ち上がるように形成された吹き返し防止壁５０に当たり、空気の流れ方向が更に変化する。図３に示したように、吹き返し防止壁５０により流れの方向が変化した空気の少なくとも一部は上方に向かって流れ、上面板４ａに当たる。なお、上面板４ａのうち空気が当たる領域は、ノズル９が設けられている位置よりも前方側であることが望ましい。
【００３４】
このように、手乾燥室３の下面板４ｃに沿って前方（使用者側）に向かって流れる空気は、まず吹き返し防止壁５０に当たり、更に上面板４ａに当たることによって十分に勢いが弱められた状態で、手乾燥室の前方側に排出されることとなる。その結果、手乾燥装置の前方側に立って手乾燥室３に手を挿入する使用者に向かって流れる「吹き返し」は十分に抑制され、使用者に与える不快感が低減されている。
【００３５】
図３に示すように、下面板４ｃのｚ軸方向の長さは、上面板４ａのｚ軸方向の長さよりも短く形成されている。このように構成することにより、吹き返し防止壁５０に当たった後に上方に向かう空気の流れ方向が下面板４ｃに対してなす角度（θ１）は、９０度よりも小さくなっている。換言すれば、下面板４ｃのｚ軸方向の長さを短くすることによって、吹き返し防止壁５０による空気の流れ方向の変化量（θ１）が小さくなっている。その結果、吹き返し防止壁５０に当たった空気を手乾燥室３の上面板４ａに当てやすくなっている。
【００３６】
（実施例２）
図４に示す手乾燥装置は、実施例１で示した手乾燥装置における下面板４ｃの傾斜の角度（実施例１においては０度、すなわち水平である）を変化させたもので、それ以外の構成及び機能は実施例１の手乾燥装置と同じである。したがって、実施例１の手乾燥装置と同じ部分については実施例１のものと同一の符合を用い、それらについての説明は省略する。
【００３７】
図４に示す手乾燥装置では、下面板４ｃが水平面に対して傾斜しており、下面板４ｃの前方側が後方側よりも高くなっている。このように構成することにより、吹き返し防止壁５０に当たった後に上方に向かう空気の流れ方向が下面板４ｃに対してなす角度（θ２）は、９０度よりも小さくなっている。換言すれば、下面板４ｃを傾斜させることによって、吹き返し防止壁５０による空気の流れ方向の変化量（θ２）が小さくなっている。その結果、吹き返し防止壁５０に当たった空気を手乾燥室３の上面板４ａに当てやすくなっている。
【００３８】
（実施例３）
図５に示す手乾燥装置は、実施例１で示した手乾燥装置における吹き返し防止壁５０の形状を変えたもので、それ以外の構成及び機能は実施例１の手乾燥装置と同じである。したがって、実施例１の手乾燥装置と同じ部分については実施例１のものと同一の符合を用い、それらについての説明は省略する。
【００３９】
図５に示すように、下面板４ｃの両側端部であって吹き返し防止壁５０と同じ高さの位置には、排気口５１が形成されている。排気口５１は、下面板４ｃに沿って流れてきた空気が吹き返し防止壁５０に当たった後、その一部を排出することができるように形成されている。
【００４０】
図６は、図５で示した手乾燥装置のうち下面板４ｃ及びその近傍の構成を、上面視で示した図である。吹き返し防止壁５０は、下面板４ｃに沿って前方方向に流れてくる空気の一部を排気口５１までスムーズに導くために、その中央部から排気口５１までの部分が上面視で円弧状となるように形成されている。なお、排気口５１の形状は、吹き返し防止壁５０に当たった空気が手乾燥室３の両側から排気される機能を有していれば良く、大きさや形状は、様々なものを選択することができる。
【００４１】
かかる構成において、手乾燥装置を動作させたときの空気の流れについて説明する。ノズル９から手乾燥室３に吹き出された空気は、手乾燥室３の背面板４ｂに当たった後、背面板４ｂに沿って下方へ流れて下面板４ｃに到達する。下面板４ｃに到達すると空気はその流れ方向を変え、下面板４ｃに沿って手乾燥室３の前方側に流れる。その後、下面板４ｃの前端部に立ち上がるように形成された吹き返し防止壁５０に当たり、空気の流れ方向が更に変化する。図３に示したように、吹き返し防止壁５０により流れの方向が変化した空気の少なくとも一部は吹き返し防止壁５０に沿って左右方向に流れ、排気口５１から側方に向けて排出される。
【００４２】
このように、下面板４ｃに沿って前方側に流れる空気の少なくとも一部を、吹き返し防止壁５０の内側に沿って排気口５１に流すことができる。すなわち、吹き返し防止壁５０に当たった空気の一部を排気口５１から側方に向かって排出することで、吹き返し防止壁５０から上方に向かって流れる空気の量を抑制している。その結果、使用者に直接当たる吹き返し風を減少させている。
【００４３】
（実施例４）
図７に示す手乾燥装置は、実施例３で示した手乾燥装置における吹き返し防止壁５０の内壁面にガイド部５２を設けたもので、それ以外の構成及び機能は実施例３の手乾燥装置と同じである。したがって、実施例３の手乾燥装置と同じ部分については実施例３のものと同一の符合を用い、それらについての説明は省略する。
【００４４】
ガイド部５２は吹き返し防止壁５０の内壁に沿うように形成されている。ガイド部５２は、吹き返し防止壁５０に当たった空気を左右に分断させて排気口５１へ流れやすくなるように、その中央部が後方側に向かって突出し尖った形状となっている。このように構成することで、吹き返し防止壁５０に当たった空気は、その流れが乱れることなく左右に分かれて流れ、手乾燥装置の両側に設けられた排気口５１にそれぞれ向かうこととなる。その結果、使用者側に向かって流れる空気の量が更に低減される。なお、ガイド部５２は、吹き返し防止壁５０に当たった空気を、その中央で左右に分断させて排気口５１に流れやすくする機能を有していれば良く、その大きさや形状は様々なものを選択することができる。
【００４５】
（実施例５）
図８に示す手乾燥装置は、実施例１で示した手乾燥装置における背面板４ｂに、平板状の風受部６０を設けたもので、それ以外の構成及び機能は実施例１の手乾燥装置と同じである。したがって、実施例１の手乾燥装置と同じ部分については実施例１のものと同一の符合を用い、それらについての説明は省略する。
【００４６】
風受部６０は、背面板４ｂから前方側に突出するように形成されており、ノズル９から吹き出された空気の少なくとも一部が風受部６０に直接当たるようになっている。風受部６０は、上面が水平な略平板形状を有し、ノズル９から吹き出された空気を背面板４ｂに沿って上方へ向かう流れと下面板４ｃに向かう流れに分断可能なように形成されている。なお、風受部６０は、ノズル９から吹き出された空気の少なくとも一部が直接当たるように形成されていれば良く、背面板４ｂに設けられている位置や背面板４ｂから突出する長さ等は、様々なものを選択することができる。
【００４７】
かかる構成において、手乾燥装置を動作させたときの空気の流れについて説明する。図８に示すように、ノズル９から手乾燥室３に吹き出された空気の少なくとも一部は、背面板４ｂに設けられた風受部６０にあたり、背面板４ｂに沿って上方へ変化する流れと下面板４ｃに向かう流れに分断される。その内、下面板４ｃの方向へ向かう空気は、更に下面板４ｃに沿って前方方向に流れ、吹き返し防止壁５０により上方へと方向を変えるように流れていく。
【００４８】
このように、ノズル９から吹き出された空気が直接当たるように形成される風受部６０を設けることで、風受部６０の下方に設けられた下面板４ｃに向かう風の流れを弱めることができる。その結果、下面板４ｃに沿って前方に流れてくる空気の勢いを弱めることができるので、手乾燥装置の前方に立つ使用者側に向かって流れてしまう吹き返し風を抑制することができる。
【００４９】
以上、本発明の実施例を説明したが、これは本発明の説明のための例示であって、本発明の範囲をこの実施例にのみ限定する趣旨ではない。本発明は、他の種々の実施例でも実施することが可能である。
【符号の説明】
【００５０】
１    高圧空気発生部
２    水受け部
３    手乾燥室
４ａ  上面板
４ｂ  背面板
４ｃ  下面板
９    ノズル
１０  センサー
１６  モーター
１８  ヒーター
２０  ブロアー
２１  ブロアーケース
５０  防止壁
５１  排気口
５２  ガイド部
６０  風受部
【図１】
2014064806.tif 000003
【図２】
2014064806.tif 000004
【図３】
2014064806.tif 000005
【図４】
2014064806.tif 000006
【図５】
2014064806.tif 000007
【図６】
2014064806.tif 000008
【図７】
2014064806.tif 000009
【図８】
2014064806.tif 000010